(57)【要約】  【課題】雨水や虫、埃などが高周波電源や誘導加熱制御装置内に侵入すると、漏電の危険性があり利用者や自動販売機の管理者に対して安全性を高めた誘導加熱装置を備えた自動販売機を提供する。  【解決手段】本体側に設けられて缶商品１８を収納する商品収納室１１ａと、扉側に設けられて缶商品１８を取り出す商品取出口１６と、商品収納室１１ａに収納された缶商品を受け入れて誘導加熱方式により前記缶商品を加熱する誘導加熱装置１７の制御を行う誘導加熱制御装置１００とを備え、商品取出口１６の下部に誘導加熱制御装置１００を収納する収納部１０１を区画形成し、扉を開放した時に誘導加熱制御装置１００に直接触れないように収納部の開口部を覆うカバー部材１０３を備えた自動販売機としたものである。【選択図】図６
2008102582.tif 000002
【特許請求の範囲】
【請求項１】
本体側に設けられて缶商品を収納する商品収納室と、扉側に設けられて缶商品を取り出す商品取出口と、前記商品収納室に収納された缶商品を受け入れて誘導加熱方式により前記缶商品を加熱する誘導加熱装置と、前記誘導加熱装置の制御を行う誘導加熱制御装置とを備え、前記商品取出口の下部に前記誘導加熱制御装置を収納する収納部を区画形成し、前記扉を開放した時に前記誘導加熱制御装置に直接触れないように前記収納部の開口部を覆うカバー部材を備えたことを特徴とする自動販売機。
【請求項２】
誘導加熱制御装置を収納する収納部を覆うカバー部材の上端部は、商品が搬送される商品取出口の内部ステージを扉に固定する固定部材と収納部との間に差込み挿入されるように折り曲げ形成され、前記カバー部材の下端部をビス止め固定したことを特徴とする請求項１に記載の自動販売機。
【請求項３】
収納部は略コ字状に形成され、前記収納部と商品取出口の内部ステージと扉表面板との間に空間部を形成したことを特徴とする請求項１または２に記載の自動販売機。
【請求項４】
収納部内に誘導加熱制御装置の高電圧電源を遮断するスイッチを備え、カバー部材を開放したときに前記スイッチが連動して高電圧電源が遮断されることを特徴とする請求項１から３のいずれか一項に記載の自動販売機。
【発明の詳細な説明】
【技術分野】
【０００１】
本発明は自動販売機内に誘導加熱式の缶商品加熱装置を搭載し、販売された缶商品を急速加熱する誘導加熱式の缶商品加熱装置に関するものである。
【背景技術】
【０００２】
従来、この種の自動販売機で、缶商品を誘導加熱式の加熱装置で急速加熱してホット商品とするようにしたものが例えば特許文献１に開示されている。
【０００３】
図９は特許文献１に記載された、従来の誘導加熱式商品加熱装置を備えた自動販売機の縦断面図である。図１０は図９の誘導加熱式商品加熱装置の正面図である。図１１は図１０の断面図である。
【０００４】
図に示すように、キャビネット１内に複数の商品収納室に仕切り、各室ごとに商品２を保温、ないし保冷し、販売指令に基づき商品ラック３から搬出した商品をシュータ４を経由して商品取出口５へ送出するようにした自動販売機で、ホット商品として販売する商品を販売温度より低い温度で貯蔵する商品収納室６に対して、商品収納室６から商品取出口５へ通じる搬出経路の途上でシュータ４に連係して商品取出口５の上方位置に誘導加熱式の商品加熱装置７を設置し、商品ラックから搬出した商品を商品加熱装置７に受け渡して販売温度に高温加熱した後に商品取出口５に送出する。
【０００５】
また図１０のように商品加熱装置７は水平に対して傾斜角度を保ち斜め姿勢に配置し、商品２を倒置姿勢に受容保持する樋状の商品保持カバー７ａと、カバー７ａの周面に巻装した誘導加熱コイル７ｂと、商品保持用ストッパー７ｃと、誘導加熱コイル７ｂに接続した高周波電源７ｄを主要部品として構成しており、商品取出口５の内部ステージ６ｂに向くように配置されている。
【０００６】
図９，１０，１１の動作説明をすると、販売時に商品収納室６の商品２は３５℃程度に予熱され貯蔵されている。選択されると、商品ラック３から落下搬出した商品２は商品取出口５に搬出され、その途上で誘導加熱式の商品加熱装置７に受け渡して販売温度に急速加熱し、商品加熱装置７から排出して商品取出口５の内部に搬出される。
【０００７】
すなわち商品ラック３から内扉８を押し開いて姿勢制御板の上をすべり落ちる過程で姿勢を制御し、商品保持カバー７ａに受容される。
【０００８】
この際、ストッパー７ｃは閉じており、高周波電源７ｄより誘導加熱コイル７ｂに通電して缶商品２の誘導加熱を開始する。この時、誘導加熱中に商品保持カバー７ａ上に保持した商品２を自転させて均一加熱させる目的で、駆動モータによって回転駆動される回転ローラを備えた自転機構７ｅにより回転加熱作用を行う。自転機構７ｅはタイヤ状の回転ローラを複数に分けて商品保持カバー７ａの領域内に埋め込まれた形で商品２の下面を受けるように配置されている。そして、商品２が所定温度に加熱されると、誘導加熱コイル７ｂへの通電を停止しストッパー７ｃを開く。これにより、商品２はカバー７ａの傾斜面を滑り落ちて商品取出口５内に放出される。
【０００９】
上記動作により、特定した商品収納室６に誘導加熱式の商品加熱装置７を設置したことで、高温状態で長時間貯蔵すると品質が劣化する商品を販売時に急速加熱してホット商品として販売できるほか、別の収納室にはコールド商品やホット商品などを区別して販売できる。
【００１０】
誘導加熱式の商品加熱装置７を商品取出口５の上方位置に傾斜配置し、加熱後に商品を商品取出口５へ送出するので、加熱中に商品取出口５をロックする必要がなく、かつ商品取出口に手を入れても直接触れないので悪戯を受けにくいという管理面の利点もある。
【特許文献１】特開平９−６２９２２号公報
【発明の開示】
【発明が解決しようとする課題】
【００１１】
しかしながら、上記従来の缶商品の誘導加熱装置を備えた自動販売機の構成では、誘導加熱コイル７ｂに通電する高周波電源７ｄや誘導加熱制御装置をどこに配置するかは記載されておらず、また自動販売機の管理者が扉を開けて商品補充や機能設定操作をする場合に、高周波電源７ｄや誘導加熱制御装置などに直接触れないように配慮することは開示されていない。また自動販売機は屋外に設置する場合が多く、雨水や虫、埃などが高周波電源７ｄや誘導加熱制御装置内に侵入すると、漏電の危険性があり利用者や自動販売機の管理者に対して安全性に問題点があった。
【００１２】
また、環境問題から自動販売機の商品冷却のために冷媒として自然冷媒を使用する傾向にあり、特に可燃性冷媒を使用した場合の冷媒漏洩時に発火の要因になる懸念があるなど安全性対応に問題点があった。
【００１３】
以上のように、誘導加熱装置を備えた付加価値の高い自動販売機を実現するに当たって、加熱品質に加えて安全品質を一層安定的に高めることができる自動販売機が望まれていた。
【００１４】
本発明は上記従来の課題を解決するもので、誘導加熱装置の安全性を確保し、雨水や虫、埃等の侵入防止や、可燃性冷媒使用時の安全性を高めた缶商品の誘導加熱装置を備えた自動販売機を提供することを目的とする。
【００１５】
また自動販売機の管理者が保守点検等で誘導加熱制御装置に触れる場合、高電圧電源を自動的に遮断して感電などの事故を防止する誘導加熱装置を備えた自動販売機を提供することを目的とする。
【課題を解決するための手段】
【００１６】
上記従来の課題を解決するために、本発明の缶商品の自動販売機は、本体側に設けられて缶商品を収納する商品収納室と、扉側に設けられて缶商品を取り出す商品取出口と、前記商品収納室に収納された缶商品を受け入れて誘導加熱方式により前記缶商品を加熱する誘導加熱装置と、前記誘導加熱装置の制御を行う誘導加熱制御装置とを備え、前記商品取出口の下部に前記誘導加熱制御装置を収納する収納部を区画形成し、前記扉を開放した時に前記誘導加熱制御装置に直接触れないように前記収納部の開口部を覆うカバー部材を備えた自動販売機としたものである。
【００１７】
これによって、自動販売機の管理者は誘導加熱制御装置や高周波電源を不用意に触れることがなく、また誘導加熱制御装置内への水かかりや虫、埃などの侵入を防止し、可燃性冷媒を使用する場合には防爆性を高めることができ、安全性を高めた自動販売機を提供することができる。
【発明の効果】
【００１８】
本発明の缶商品の自動販売機は、缶商品を品質の安定した均一加熱を効率よく行うとともに、利用者や自動販売機管理者が誘導加熱制御基板や高周波電源等の誘導加熱制御装置に直接触れないように安全性を高めたものであって、誘導加熱制御装置を雨水や虫や埃などが入らないように、また可燃性冷媒が漏れた時に誘導加熱制御装置内に入らないように区画形成することで安全品質を高めることができる。
【発明を実施するための最良の形態】
【００１９】
請求項１に記載の発明は、本体側に設けられて缶商品を収納する商品収納室と、扉側に設けられて缶商品を取り出す商品取出口と、前記商品収納室に収納された缶商品を受け入れて誘導加熱方式により前記缶商品を加熱する誘導加熱装置と、前記誘導加熱装置の制御を行う誘導加熱制御装置とを備え、前記商品取出口の下部に前記誘導加熱制御装置を収納する収納部を区画形成し、前記扉を開放した時に前記誘導加熱制御装置に直接触れないように前記収納部の開口部を覆うカバー部材を備えたものである。
【００２０】
これにより、自動販売機の管理者が扉を開けて商品の補充や設定操作を行うときに、誘導加熱制御装置がカバー部材で覆われているので、高電圧を帯びている誘導加熱制御装置に直接触れることがないので、利用者の安全性を確保することができ、また誘導加熱制御装置内への水かかりや虫、埃などの侵入を防止することができ、漏電や内部の腐食、これに伴う誘導加熱装置の運転停止などを防ぐことができる。また可燃性冷媒を使用する場合に自動販売機本体側から扉側へ冷媒が流れてきても、カバー部材によって内部への冷媒侵入を防止でき、防爆性を高めることができ、安全品質の高い誘導加熱装置を備えた自動販売機を提供できる。
【００２１】
請求項２に記載の発明は、請求項１に記載の発明において、誘導加熱制御装置を収納する収納部を覆うカバー部材の上端部は、商品が搬送される商品取出口の内部ステージを扉に固定する固定部材と収納部との間に差込み挿入されるように折り曲げ形成され、前記カバー部材の下端部をビス止め固定したものである。
【００２２】
これにより、保守管理等で誘導加熱制御装置内を触れる場合、カバー部材の下方のみをビス止め固定しているので、作業性を高めるとともに、上端部は差込み挿入されているので、カバー部材の着脱性を高めるとともに、固定部材から誘導加熱制御装置内へ異物が侵入するのを防止することができる。
【００２３】
請求項３に記載の発明は、請求項１または２に記載の発明において、収納部は略コ字状に形成され、前記収納部と商品取出口の内部ステージと扉表面板との間に空間部を形成したものである。
【００２４】
これにより、内部ステージから異物が入ってきても収納部による区画形成で誘導加熱制御装置内への侵入を防止し、内部ステージ下方から扉との間に空間部を連通して形成しているので異物を排出することができ、収納部内進入による漏電や故障を低減することができる。
【００２５】
請求項４に記載の発明は、請求項１から３のいずれか一項に記載の発明において、収納部内に誘導加熱制御装置の高電圧電源を遮断するスイッチを備え、カバー部材を開放したときに前記スイッチが連動して高電圧電源が遮断されるものである。
【００２６】
これにより、自動販売機の電源を切らずに、誘導加熱制御装置の保守管理を行うときでも、カバー部材を開放したときに連動して高電圧電源が遮断されるので、感電等の事故を防止でき安全性を高めることができる。
【００２７】
以下、本発明の実施の形態について、図面を参照しながら説明するが、従来例または先に示した実施の形態と同一構成については同一符号を付して、その詳細な説明は省略する。なお、この実施の形態によって本発明が限定されるものではない。
【００２８】
（実施の形態１）
図１は、本発明の実施の形態１を示す自動販売機の正面図である。図２は同実施の形態の自動販売機の縦断面図である。図３は同実施の形態の自動販売機における缶商品の誘導加熱装置の斜視図である。図４は同実施の形態の自動販売機における缶商品の誘導加熱装置の正面図である。図５は図４の矢視Ａの側面図である。図６は外扉を裏面から見た要部斜視図である。図７は図６のＡ−Ａ線断面図である。図８は図６のカバー部材を外した要部斜視図である。
【００２９】
図において、自動販売機本体１１内には複数の商品収納室１１ａが区画構成されて種々の缶商品１８がそれぞれ収納されている。自動販売機本体１１の前面開口部には外扉１２が配置されている。外扉１２の上部に商品サンプル展示室１３、その下方に商品の広告などを掲示する広告パネル室１４と金銭投入部１５が横並びに備えられ、外扉１２の下部には選択された商品１８を排出する商品取出口１６が備えられている。そして商品取出口１６と隣り合わせに缶商品の誘導加熱装置１７が設置され商品収納室１１ａの下部から商品１８を受け入れるように関連づけられている。そして、誘導加熱装置１７の商品排出側は商品取出口１６と連通し、缶商品の誘導加熱装置１７で加熱された飲料等の流動性内容物に代表される缶商品１８は商品取出口１５から取り出せるように形成されている。
【００３０】
また、誘導加熱装置１７の高さ方向の配置位置に関しては、特に商品取出口１６よりも下方の位置に配置されるように構成されている。すなわち、上から順に商品収納室１１ａの商品を排出する下端部、商品取出口１６の商品の落下する底部、誘導加熱装置１７の商品が載置される下端部、という高さ方向の配置関係となっている。
【００３１】
以下に誘導加熱装置１７による加熱構造について説明する。
【００３２】
誘導加熱装置１７は、缶商品１８を倒置姿勢に受容保持する断面略円弧状（以下、樋状という）の商品受台１９と、商品受台１９の裏面に巻装した誘導加熱コイル２０と、商品受台１９の近傍にあり、下方から缶商品１８の周面に当接する回転手段としての下部ローラ２１と、下部ローラ２１の下方に下部ローラ駆動モータ２２が設置され、下部ローラ２１と下部ローラ駆動モータ２２がベルト２３によって連結されて下部ローラ２１を回転駆動させる構成となっている。
【００３３】
誘導加熱コイル２０と下部ローラ２１とは所定の間隔Ｌをおいて離間した位置に配置されており、誘導加熱コイル２０の配置されている領域内に下部ローラ２１が埋め込まれて存在するものではない。
【００３４】
また、誘導加熱コイル２０の形状は上記のような断面略円弧状や樋状に限るものではなく、缶商品１８を倒置姿勢に受容保持して適切な加熱を行えるような形状であればよい。
【００３５】
商品受台１９は樹脂などの非磁性材で形成され、商品受台１９の周縁部には裏面に向かってフランジ部１９ａを形成し商品受台１９の裏面には、このフランジ部１９ａに囲まれた空間部１９ｂを形成している。誘導加熱コイル２０はこの空間部１９ｂに形成されている。商品受台１９は誘導加熱装置１７を形成する外枠２４にビス等で固定されている。
【００３６】
なお、商品受台１９を形成する材料は、缶商品１８の回転動作と接触摺動することになるので、樹脂の場合であると、例えば低摩擦，低摩耗の特性を有する高密度ポリエチレン等の樹脂で形成することが好ましい。
【００３７】
誘導加熱装置１７は外枠２４で周囲を覆って形成されている。具体的には商品受台１９の背面を固定する背面壁２４ａ、商品受台１９の下面を固定する底壁２４ｂ、商品受台１９の両端側で誘導加熱装置１７の両側壁を形成する側壁２４ｃ、２４ｄ、背面壁２４ａに対応する前面壁２４ｅで覆われている。具体的には図のように外枠２４の側壁２４ａと底壁２４ｂに商品受台１９の裏側を固定できるように設置され、商品受台１９の上部が側壁２４ａに沿うように配置し、商品受台１９の下部が底壁２４ｂに載置するように設置されている。
【００３８】
また下部ローラ２１は内部に金属性の軸２１ａと、軸２１ａの外側に延長して樹脂製のローラ部材２１ｂを備え、ローラ部材２１ｂには軸２１ａ方向に延長してゴム部材２１ｃで覆われている。ゴム部材２１ｃの表面には細かな溝を形成していてもよい。
【００３９】
また下部ローラ２１の両端は軸２１ａによって誘導加熱装置１７の側壁２４ｃと側壁２４ｄに軸支され、軸２１ａの一端側と下部ローラ駆動モータ２２には滑車２５を備え、ベルト２３を介して連結されている。
【００４０】
上記のように、誘導加熱装置１７は外枠２４の上部に誘導加熱コイル２０を備えた樋状の商品受台１９を背面壁２４ａと底壁２４ｂに立て掛けるように固定し、商品受台１９の下端縁１９ｃ近傍に下部ローラ２１が備えられ、外枠２４の底壁２４ｂの下部は側壁２４ｃ、２４ｄと前面壁２４ｅに周囲を覆われ、内部に下部ローラ駆動モータ２２と誘導加熱コイル２０の発熱による熱を強制排熱するための排熱ファン２６が設置され、前面壁２４ｅには排熱ファン２６に対応する部分に排熱孔２７が形成されている。
【００４１】
また背面壁２４ａには上部にも孔２８を備え、この孔２８は誘導加熱コイル２０に対応する部分に形成されている。また少なくとも背面壁２４ａはアルミ製板で形成されている。
【００４２】
次に、自動販売機本体１１内における誘導加熱装置１７の配置構成について述べると、高さ方向の配置関係は上述のとおり、誘導加熱装置１７の缶商品１８が載置される下端部は商品取出口１６の底部よりも下方に位置し、概ね誘導加熱装置１７は商品取出口１６の下方に通常存在する外扉１２の空間スペースを活用して配置できるようにしている。
【００４３】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【００４４】
そして、このデッドスペースとなる空間内をほぼ活用して配置される誘導加熱装置１７は、缶商品１８の排出側が上向きとなるような傾斜姿勢で配置される。したがって、誘導加熱装置１７内から商品取出口１６内に缶商品１８を排出するためには缶商品１８の自重に抗して移動させる排出機構を別途必要としている。
【００４５】
また誘導加熱装置１７の近傍で商品取出口１６の下方には、誘導加熱コイル２０へ給電する高電位となる誘導加熱制御装置１００を備えている。商品取出口１６の搬送された商品を受ける内部ステージ１６ａの下部には誘導加熱制御装置１００を収納する収納部１０１が略コ字状に構成され区画形成されている。したがって商品取出口１６の下方に収納部１０１を備え、収納部１０１の横方向に誘導加熱装置１７が構成されている。
【００４６】
収納部１０１は内部ステージ１６ａと外扉１２を構成する扉表面板１２ａとの間に空間部１０２を形成し、収納部１０１の上方から前方に亘って空間部１０２が連通して構成されている。
【００４７】
また収納部１０１の開口部はカバー部材１０３によって覆われている。収納部１０１内には誘導加熱制御装置１００を構成する高周波電源装置１００ａを冷却する冷却ファン１０４が扉後方へ吐出されるように構成されている。
【００４８】
収納部１０１と誘導加熱装置１７を区画する区画壁には外部の空気を収納部１０１内に取入れる吸込み孔１０５が構成されている。また、収納部１０１内には誘導加熱制御装置の高電圧電源を遮断する押圧スイッチ１０６を構成し、カバー部材１０３で収納部１０１の開口部が閉塞されているときは、カバー部材１０３に押圧されて高電圧電源を通電状態に維持している。
【００４９】
またカバー部材１０３には冷却ファン１０４と対向する位置にスリット孔１０３ｂを形成しており、高周波電源装置１００ａの熱を外部へ排出する構成となっている。
【００５０】
次にカバー部材１０３の取付け構造について説明する。
【００５１】
カバー部材１０３の上端部１０３ａは幅方向に亘って外扉１２方向に向かって折り曲げ形成されている。内部ステージ１６ａの後方は外扉１２の幅方向に形成されたステーに固定部材１０７によって外扉１２に固定されており、収納部１０１はこの固定部材１０７よりも隙間をあけて下方に配置構成されている。そしてカバー部材１０３の上端部１０３ａがこの隙間に挿入されるように配置し、収納部１０１の下方に形成されたステーにカバー部材１０３の下方がラップして構成され、ビス１０８で固定されている。
【００５２】
また冷却ファン１０４は、カバー部材１０３側にビス等で固定されており、カバー部材１０３の着脱によって冷却ファン１０４が外れるように構成されている。
【００５３】
以上のように構成された誘導加熱装置について、以下その動作、作用を説明する。
【００５４】
誘導加熱装置１７の商品受台１９に上部から缶商品１８が倒置姿勢で投入されると、下部ローラ２１は下部ローラ駆動モータ２２の駆動により滑車２５に引っ掛けたベルト２３を介して軸２１ａを回転させ、軸２１ａに圧入されたローラ部材２１ｂを同時に回転させて回転駆動している。
【００５５】
また、図５のように下部ローラ駆動モータ２２は下部ローラ２１が反時計回りに回転するように回転することで缶商品１８を回転させるとともに誘導加熱コイル２０に高周波電流を通電して缶商品１８を誘導加熱する。そして所定時間の加熱が経過すると誘導加熱コイル２０への給電、下部ローラ駆動モータ２２を停止する。
【００５６】
下部ローラ２１回転時、ゴム部材２１ｃが缶商品１８に当接しているので缶商品１８はグリップが効いて空回りすることなく回転することができ、局部加熱することなく適温に加熱することができる。また缶商品１８の下部が誘導加熱コイル２０と下部ローラ２１に挟まれており、図４のように、下部ローラ２１が反時計回りに回転するので缶商品１８は時計回りに回転し、図５のように商品受台１９が設置されているので缶商品１８は商品受台１７から飛び出すことはない。なお、缶商品１８の空回りが避けられるならばゴム部材２１ｃに代わる部材やゴム部材２１ｃなしで可能な材料で下部ローラ２１を形成してもよい。
【００５７】
また商品受台１９は倒置姿勢の缶商品１８より長く形成されている。これに伴って下部ローラ２１も少なくとも商品受台１９の長さ以上に長く備えられているので、缶商品１８が商品受台１７上のどこに倒置して設置しても、缶商品１８を固定することなく回転させることができ局部加熱を防ぐことができる。つまり、缶商品１８の長さに関わらず安定した加熱が行える。一方、商品受台１９の上方は開放して缶商品１８を規制する部材を有さず、回転により商品受台１９との下部接触面で均一加熱が可能であるため、商品の外径の大小にも左右されず加熱が行える。すなわち缶商品１８の大小に関わらず安定した加熱品質を提供できるものである。
【００５８】
なお、回転手段としての下部ローラ２１は品受台１９の長さ以上に軸方向長さが長いことが好ましいが、これより短い形態であっても、実質的な缶商品１８との当接面が下部ローラ２１の軸方向に十分確保できて安定した回転が行えるものであれば差し支えない。
【００５９】
限定されるものではないが、目安として受け入れが想定される缶商品１８の全長よりも下部ローラ２１の接触面の長さが長ければ、想定される缶商品１８の全長に対する商品受台１９の長手方向の寸法設計の合理的範囲より、缶商品１８の商品受台１９への受け入れ時に軸方向に位置ずれしても実質的には缶商品１８の全長方向の大部分を下部ローラ２１の接触面で受けることになり、安定した回転動作に大きな支障は生じない。
【００６０】
また、ゴム部材２１ｃに細かな溝が形成されていれば、さらに缶商品の空回りを低減し、回転駆動させることができる。
【００６１】
また缶商品１８の加熱時は、誘導加熱制御装置１００からの給電により、誘導加熱コイル２０は発熱し背面壁２４ａにも熱が伝熱される。背面壁２４ａはアルミ製板であるので、鉄板よりは熱伝導率が低く伝熱を低減することができるが、十分ではないので、排熱ファン２６によって、背面壁２４ａの孔２８から外部の空気を取り入れ、底壁２４ｂに形成した底孔２９に連通させて、排熱孔２７から外部へ排熱し、背面壁２４ａの異常な加熱を防止することができる。また下部ローラ駆動モータ２２の発熱も排熱ファン２６によって低減することができるので、モータの信頼性を確保することができる。
【００６２】
また誘導加熱制御装置１００の高周波電源装置１００ａが発熱するため、冷却ファン１０４によって吸込み孔１０５から外部の空気を取り入れ、スリット孔１０３ｂから外部へ排熱し、誘導加熱制御装置１００の異常な加熱を防止することができる。
【００６３】
また、自動販売機が屋外に設置される場合など、雨水や虫、埃等の異物が商品取出口１６から入り、内部ステージ１６ａに備えた孔１６ｂから区画された収納部１０１へ落下する。このとき内部ステージ１６ａの下方から外扉１２の前方向に向かって、さらに下方へ空間部１０２が形成されているので異物が、収納部１０１内に入り込まないように構成され、かつ空間部１０２を通って外部へ排出するように構成されているので、これらの異物が収納部１０１内に入って誘導加熱制御装置１００へ悪影響を及ぼし漏電することを防止することができる。
【００６４】
また、商品収納室１１ａには通常、加温と冷却の切替室、冷却専用室などがあり、商品の冷却やいわゆるヒートポンプ法式による加温を行うに際して、環境問題等の配慮から冷凍装置の冷媒として自然冷媒、特に可燃性冷媒を使用している場合、可燃性冷媒が漏洩して内部ステージ１６ａから侵入してきても、空間部１０２によって収納部１０１内に冷媒が入ってくることはなく、外部へ排出することができ、防爆性を高め安全性の高い環境対応型の誘導加熱機能を備えた缶商品の保温品質あるいは利便性の高い自動販売機を提供することができる。
【００６５】
また、収納部１０１の開口部がカバー部材１０３で閉塞されているので、自動販売機の管理者が外扉１２を開放して、内部の保守点検等を行う場合にも、誘導加熱制御装置１００に不用意に触れることはなく、感電等を防止でき安全性を高めることができる。
【００６６】
またカバー部材１０３の上端部１０３ａが折り曲げ形成されて、収納部１０１の開口部端面を塞いでいるので、固定部材１０７を伝って進入する水やその他異物の侵入を防止することができる。また、収納部１０１の開口部端面と上端部１０３ａとの間に、ウレタンフォーム等のシール部材を収納部１０１の開口部端面側に貼付しておくことで、さらに異物の侵入を確実に防止することができる。
【００６７】
またカバー部材１０３の取付けは上端部１０３ａを固定部材１０７と収納部１０１の開口部の間に差し込み挿入した後、カバー部材１０３の下部を外扉１２のステーにビス１０８で固定することで収納部１０１の開口部を塞ぐことができるので、カバー部材１０３の着脱作業性を簡素化することができる。
【００６８】
また、自動販売機の管理者が、保守点検等で誘導加熱制御装置１００に触れる場合、通常は自動販売機の主電源を切って作業することになるが、誤って電源を入れたまま、誘導加熱制御装置１００に触れると感電等の危険性がある。このため、主電源を入れたままでも、作業が行えるように、カバー部材１０３を閉じた状態では、収納部１０１内に備えた押圧スイッチ１０６がカバー部材１０３に押圧されて誘導加熱制御装置１００の高電位をＯＮした状態で維持され、カバー部材１０３を外したときに、押圧スイッチ１０６が動作してＯＦＦするように構成されている。
【００６９】
このため、主電源を切らなくても、カバー部材１０３を外すことによって、感電等の事故を防止し、作業者の安全性を確保することができる。
【００７０】
また誘導加熱装置１７を運転していないときでも冷却ファン１０４は常時運転しており、可燃性冷媒が漏洩した時に強制循環させて外部へ排出することを促進できる。
【００７１】
また、誘導加熱装置１７を制御する誘導加熱制御装置１００を商品取出口１６のデッドスペースとなる下部に配置することで無効空間を有効に活用できるとともに、誘導加熱装置１７の近くに設置できるので、自動販売機全体の制御をする主制御部２００から離して集約させて設置できるので、誘導加熱制御装置１００の発熱による悪影響を低減することができ、品質の信頼性を確保することができる。
【産業上の利用可能性】
【００７２】
以上のように本発明にかかる缶商品の誘導加熱装置は、缶商品の大小に関わらず加熱姿勢を安定させて品質の安定した均一加熱を効率よく行うことができるとともに、誘導加熱装置を制御する誘導加熱制御装置の安全性を確保した自動販売機や携帯用缶加熱装置として広く適用できる。
【図面の簡単な説明】
【００７３】
【図１】本発明の実施の形態１を示す缶商品の誘導加熱装置を備えた自動販売機の正面図
【図２】同実施の形態の自動販売機の縦断面図
【図３】同実施の形態の自動販売機における缶商品の誘導加熱装置の斜視図
【図４】同実施の形態の自動販売機における缶商品の誘導加熱装置の正面図
【図５】図４の矢視Ａの側面図
【図６】同実施の形態の外扉を裏面から見た要部斜視図
【図７】図６のＡ−Ａ線断面図
【図８】図６のカバー部材を外した要部斜視図
【図９】従来の缶商品の誘導加熱装置を備えた自動販売機の縦断面図
【図１０】従来の缶商品の誘導加熱装置の正面図
【図１１】従来の缶商品の誘導加熱装置の断面図
【符号の説明】
【００７４】
１１  自動販売機本体
１１ａ  商品収納室
１２  外扉（扉）
１２ａ  扉表面板
１６  商品取出口
１６ａ  内部ステージ
１７  誘導加熱装置
１８  缶商品
１９  商品受台
２０  誘導加熱コイル
２１  下部ローラ（回転手段）
２２  下部ローラ駆動モータ
３０  商品姿勢制御部材
３１  上部ローラ
３３  搬出部材（搬出機構）
４０  開閉部材
４３  非接触式温度検知手段（温度検知手段）
１００  誘導加熱制御装置
１００ａ  高周波電源装置（高電圧電源）
１０１  収納部
１０２  空間部
１０３  カバー部材
１０３ａ  上端部
１０６  スイッチ
１０８  ビス
【図１】
2008102582.tif 000003
【図２】
2008102582.tif 000004
【図３】
2008102582.tif 000005
【図４】
2008102582.tif 000006
【図５】
2008102582.tif 000007
【図６】
2008102582.tif 000008
【図７】
2008102582.tif 000009
【図８】
2008102582.tif 000010
【図９】
2008102582.tif 000011
【図１０】
2008102582.tif 000012
【図１１】
2008102582.tif 000013